(57)【要約】  負荷１８、特に１つ以上のＬＥＤを含む照明ユニットを駆動するための、ドライバ装置２４が提示される。ドライバ装置は、ドライバ装置を外部電源１２に接続し、入力電圧を受信する、入力端子２０、２２を含む。ドライバ装置は、負荷に電力を供給するために入力電圧を駆動電圧Ｖ２０及び／又は駆動電流Ｉ２０に変換する、入力端子に接続された電力変換ユニット２６と、電力変換ユニットによって負荷に供給される電力を制御する、電力変換ユニットに接続された制御ユニット２８と、を更に含む。入力装置３０は、電力変換ユニットによって負荷に供給される電力の電力レベルを設定する制御ユニットに接続され、記憶装置３６は、制御ユニットに関連付けられ、制御ユニットは入力端子から引き出され得る電力レベルを決定し、決定される電力レベルを記憶装置内に保存する。
2017533559.tif 000002
【特許請求の範囲】
【請求項１】
負荷、特に１つ以上のＬＥＤを含む照明ユニットを駆動するためのドライバ装置であって、当該ドライバ装置は、
前記ドライバ装置を外部電源に接続し、入力電圧を受信する、入力端子と、
前記負荷に電力を供給するために前記入力電圧を駆動電圧及び／又は駆動電流に変換する、前記入力端子に接続された電力変換ユニットと、
前記電力変換ユニットによって前記負荷に供給される電力を制御する、前記電力変換ユニットに接続された制御ユニットと、
前記電力変換ユニットによって前記負荷に供給される電力の電力レベルを設定する、前記制御ユニットに接続された入力装置と、
前記制御ユニットに関連付けられた記憶装置とを含み、前記制御ユニットは、前記入力端子から引き出され得る電力の電力レベルを決定し、決定された前記電力レベルを前記記憶装置に保存させる、
ドライバ装置。
【請求項２】
前記決定された電力レベルは、前記入力端子から引き出され得る最小の電力レベルである、請求項１に記載のドライバ装置。
【請求項３】
前記最小の電力レベルを決定するために前記入力端子から引き出される電力が減少されるように、前記制御ユニットは前記電力変換ユニットを制御する、請求項２に記載のドライバ装置。
【請求項４】
前記制御ユニットは、前記電力レベルを連続的に減少させる、請求項３に記載のドライバ装置。
【請求項５】
前記制御ユニットは、前記電力レベルを段階的に減少させる、請求項３に記載のドライバ装置。
【請求項６】
前記制御ユニットは、前記入力端子から電力を受信するために、前記入力端子に接続される、請求項１に記載のドライバ装置。
【請求項７】
前記制御ユニットは、前記ドライバ装置の動作中に前記電力レベルを定期的に決定する、請求項１に記載のドライバ装置。
【請求項８】
前記記憶装置は、不揮発性メモリである、請求項１に記載のドライバ装置。
【請求項９】
前記入力装置から受信した入力信号に基づいて、及び、前記記憶装置に保存された前記電力レベルに基づいて、前記制御ユニットは前記電力変換ユニットを制御する、請求項１に記載のドライバ装置。
【請求項１０】
負荷、特に１つ以上のＬＥＤを含む照明装置を駆動するための駆動方法であって、
入力端子で外部電源からの入力電圧を受信するステップと、
前記負荷に電力を供給するために、電力変換ユニットによって前記入力電圧を駆動電圧及び／又は駆動電流に変換するステップと、
前記電力変換ユニットによって前記負荷に供給される電力レベルを制御するステップと、
前記入力端子から引き出され得る電力の電力レベルを決定するステップと、
決定された前記電力レベルを記憶装置に保存するステップと
を含む、方法。
【請求項１１】
前記電力レベルとして最小の電力レベルを決定するために、前記入力端子から引き出された電力の電力レベルが前記記憶装置に保存されること、及び前記電力レベルの低下が行われることが繰り返される、請求項１に記載の駆動方法。
【請求項１２】
前記電力レベルは前記入力端子から引き出される電力がオフにされるまで減少される、請求項１１に記載の駆動方法。
【請求項１３】
前記電力レベルは連続的又は段階的に減少される、請求項１０に記載の駆動方法。
【請求項１４】
前記電力レベルは、動作中に定期的に決定される、請求項１０に記載の駆動方法。
【請求項１５】
１つ以上のＬＥＤを有する照明ユニットと、照明装置を駆動するため電力を供給するドライバユニットと、電力を受信するために前記ドライバユニットに接続された、前記照明ユニットを駆動するための請求項１に記載のドライバ装置と、を含む、照明装置。
【発明の詳細な説明】
【技術分野】
【０００１】
本発明は、負荷を駆動するため、特に１つ以上のＬＥＤを含む照明ユニットを駆動するための、ドライバ装置及び対応する駆動方法に関する。本発明は更に、１つ以上のＬＥＤを有する照明ユニットと、照明ユニットを駆動するためのドライバ装置とを含む、照明装置に関する。
【背景技術】
【０００２】
オフライン用途又はレトロフィット用途のためのＬＥＤドライバの分野では、ＬＥＤが接続された電源及びドライバ装置とは無関係に、発光が電力低下なしに所望の値に設定され得るように、レトロフィットＬＥＤを広範な出力領域にわたって信頼性高く駆動するための解決策が求められている。
【０００３】
例えば、電力消費、光出力、又はコストに関して改善された特性を有する異なるタイプのランプによる既存のランプのレトロフィット交換の後、交換されたランプ、例えば蛍光灯又は放電ランプの既存のドライバは、新しいランプの電力消費に対処しなければならず、このことは、既存のドライバのリセット、電力低下、又は、特定の電力レベルでの切断につながるので、各レトロフィットの状況において全出力領域にわたる調光が達成され得ない。
【０００４】
米国特許出願公開第２０１４／０２５２９９２Ａ１号明細書から、固体照明装置の調光を制御するシステムが知られており、固体照明ユニットの発光は、調光器によって供給される調光レベルに基づいて制御されることにより、光出力が所望のレベルに設定される。このシステムの欠点は、交換されたランプの現在のドライバによって駆動され得ない電力レベルまで調光レベルが減少された場合、レトロフィット用途のための信頼性の高い機能が達成され得ないことである。
【発明の概要】
【発明が解決しようとする課題】
【０００５】
本発明の目的は、信頼性の高い機能性及び信頼性の高い光出力を外部電源と組み合わせて提供する、負荷を駆動するための改良されたドライバ装置を提供することである。本発明の更なる目的は、負荷及び対応する光装置を駆動するための対応する駆動方法を提供することである。
【０００６】
本発明の１つの態様によれば、負荷、特に１つ以上のＬＥＤを含む照明ユニットを駆動するためのドライバ装置が提供され、ドライバ装置は、
ドライバ装置を外部電源に接続し、入力電圧を受信する、入力端子と、
負荷に電力を供給するために入力電圧を駆動電圧及び／又は駆動電流に変換する、入力端子に接続された電力変換ユニットと、
電力変換ユニットによって負荷に供給される電力を制御する、電力変換ユニットに接続された制御ユニットと、
電力変換ユニットによって負荷に供給される電力の電力レベルを設定する、制御ユニットに接続された入力装置と、
制御ユニットに関連付けられた記憶装置とを含み、制御ユニットは、入力端子から引き出され得る電力の電力レベルを決定し、決定された電力レベルを記憶装置に保存させる。
【０００７】
本発明の別の態様によれば、負荷、特に１つ以上のＬＥＤを含む照明装置を駆動するための駆動方法が提供され、駆動方法は、
入力端子で外部電源からの入力電圧を受信するステップと、
負荷に電力を供給するために、電力変換ユニットによって入力電圧を駆動電圧及び／又は駆動電流に変換するステップと、
電力変換ユニットによって負荷に供給される電力レベルを制御するステップと、
入力端子から引き出され得る電力の電力レベルを決定するステップと、
決定された電力レベルを記憶装置に保存するステップと
を含む。
【０００８】
更なる態様によれば、１つ以上のＬＥＤを有する照明ユニットと、照明装置を駆動する、電力を供給するドライバユニットと、電力を受信するためにドライバユニットに接続された、照明ユニットを駆動するための本発明によるドライバ装置と、を含む照明装置が提供される。
【０００９】
本発明の好ましい実施形態は、従属請求項に規定される。請求された方法は、請求された装置及び従属請求項に規定された同様の及び／又は同一の好ましい実施形態を有することが理解されるべきである。
【００１０】
本発明は、例えば既存のドライバユニットへのレトロフィット接続のように、外部電源に接続され得る負荷を駆動するためのドライバ装置を提供するという考えに基づいており、負荷に電力を供給するための負荷に供給される電力が所望のレベルに設定され得るように、ドライバ装置は入力装置及び電力変換ユニットを含む。外部電源は、高い信頼性でドライバ装置の全出力領域にわたって電力を恐らく供給しないため、本ドライバ装置の制御ユニットは、外部電源から入力端子を介して引き出され得る電源のレベルを決定し、このように決定される電力レベルを記憶装置に保存させる。外部電源から信頼性高く引き出され得るこのように決定された電力レベルに基づき、外部電力によって供給され得ない電力レベルに起因した望ましくない電力低下又は電力切断なしに、ドライバ装置及び接続された負荷の信頼性の高い機能が達成され得る。
【００１１】
好ましい実施形態では、決定される電力レベルは、入力端子から引き出され得る最小の電力レベルである。これは、電力の望ましくない低下又は電力の切断が回避され得るので、外部電源によって駆動され得ないドライバ装置の調光レベルを回避できる。
【００１２】
好ましい実施形態では、最小の電力レベルを決定するために入力端子から引き出される電力が減少されるように、制御ユニットは電力変換ユニットを制御する。電力供給の低下又は切断に達するまで、入力端子から引き出される電力が減少されるので、これは高い信頼性及び低い技術的努力で最小の電力レベルを決定できる。
【００１３】
好ましい実施形態では、制御ユニットは、電力レベルを連続的に減少させる。これは、最小の電力レベルを正確に決定できる。
【００１４】
更に好ましい実施形態では、制御ユニットは、電力レベルを段階的に減少させる。これは、低い技術的努力で最小の電力レベルを迅速に反映できる。
【００１５】
好ましい実施形態では、入力装置は、ユーザ入力信号を制御ユニットに供給するためのユーザ入力装置である。これは、負荷に供給される電力をユーザが規定したレベルに設定できる。
【００１６】
更に好ましい実施形態では、制御ユニットは、入力端子から電力を受信するために、入力端子に接続される。これは、制御ユニットに電力を供給し、低い技術的努力で外部電源の電力低下又は切断を検出できる。
【００１７】
好ましい実施形態では、制御ユニットは、ドライバ装置の動作中に電力レベルを定期的に決定する。これは、いかなる場合でも電力レベルが正確に決定されるので、外部電源及び／又は電力変換ユニットの劣化を考慮できる。
【００１８】
好ましい実施形態では、制御ユニットは、ドライバ装置の電源投入中又は所定の時間後に電力レベルを決定する。これは、低い技術的努力で定期的に頻繁に電力レベルを決定できる。
【００１９】
好ましい実施形態では、記憶装置は、不揮発性メモリである。これは、決定されるレベルの電力を長期間保存でき、ドライバ装置の停電は、記憶装置に保存された電力レベルに影響を与え得ない。
【００２０】
好ましい実施形態では、ユーザ入力装置から受信したユーザ入力に基づいて、及び、記憶装置に保存され決定された電力レベルに基づいて、制御ユニットは電力変換ユニットを制御する。これは、望ましくない電力低下又は電源の切断とそれに対する負荷の誤動作が回避され得るように、高い信頼性をもって外部電源によって供給され得る出力領域にわたって、ある特定の調光レベルを提供するので、負荷に供給される電力レベルを所望の値に設定できる。
【００２１】
駆動方法の好ましい実施形態では、電力レベルとして最小の電力レベルを決定するために、入力端子から現在引き出された電力の電力レベルが記憶装置に保存されること、及び電力レベルの低下が行われることが、繰り返される。これは、低い技術的努力で正確に供給される外部電力によって供給される最小の電力レベルを決定できる。
【００２２】
電力レベルが入力端子から引き出される電力がオフにされるまで減少されることは、更に好ましい。これは、低い技術的努力で最小の電力レベルを決定できる。
【００２３】
好ましい実施形態では、電力レベルは連続的又は段階的に減少される。これは、最小の電力レベルを正確に又は低い技術的努力で決定できる。
【００２４】
更に好ましい実施形態では、電力は、動作中に定期的に決定される。これは、引き出され得る電力レベルが頻繁に決定されるので、外部電源及び電力変換装置の劣化を考慮できる。
【００２５】
上述のように、外部電源によって供給され得る出力領域が調光中に考慮され得、外部電源の機能範囲内でドライバ装置が電力レベルを常に引き出すように、ドライバ装置及び駆動方法は、外部電源から電力を受信し、外部電源によって供給又は駆動され得る電力レベルを決定し、このように決定された電力レベルを記憶装置に保存する可能性を提供する。したがって、電力供給の望ましくない電力低下又は切断は回避され得る。したがって、ドライバ装置及び負荷に電力を供給するための駆動方法によって信頼性の高い電力供給が達成され得る。
【図面の簡単な説明】
【００２６】
本発明のこれら及び他の態様は、以下に記載される実施形態を参照して明らかであり、説明されるだろう。
【００２７】
【図１】レトロフィットランプを含む照明装置の概略ブロック図を示す。
【図２】負荷を駆動するための方法のフロー図を示す。
【図３】レトロフィットランプに電力を供給するための、ドライバに接続されたレトロフィットランプの詳細なブロック図を示す。
【発明を実施するための形態】
【００２８】
図１は、概して１０で示される照明装置の概略ブロック図を示す。照明装置１０はドライバ１２又はバラスト１２を含み、ドライバ１２又はバラスト１２は好ましくは主電源である電源１４に接続される。ドライバ１２は、例えば蛍光灯又は高輝度放電ランプ等の負荷に電力を供給する。ドライバ１２が設計された負荷又はランプは、交換されるランプとは別の特性を有する照明ユニット１６によってレトロフィット交換で交換され、この特定の実施形態において、例えば一般に電力消費を減少するための複数のＬＥＤ１８を含む。照明ユニット１６は、照明ユニット１６をドライバ１２の出力端子に接続しドライバ１２から電力を受信するための入力端子２０、２２を含む。
【００２９】
照明ユニット１６は、一般に、ドライバ装置２４を含み、ドライバ装置２４は、入力端子２０、２２を介してドライバ１２に接続され、ＬＥＤ１８に電力を供給するための駆動電圧及び／又は駆動電流を供給する。ドライバ装置２４は、電力変換ユニット２６を含み、電力変換ユニット２６は、ドライバ１２によって供給される入力電圧Ｖ１０及び／又は入力電流Ｉ１０を、ＬＥＤ１８に電力を供給するためＬＥＤ１８に供給される駆動電圧Ｖ２０及び／又は駆動電流Ｉ２０に変換するために、入力端子２０、２２に接続される。ＬＥＤの調光が可能になるように、ＬＥＤ１８に供給される電力を所望の値に設定するために、電力変換ユニット２６は駆動電圧Ｖ２０及び駆動電流Ｉ２０を所望の値に設定する。
【００３０】
ドライバ装置２４は、制御ユニット２８を更に含み、制御ユニット２８は、電力変換ユニット２６を制御し、ＬＥＤ１８に供給される電力の電力レベルを設定するため、電力変換ユニット２６に接続される。制御ユニット２８は、電力を受信するために、入力端子２０、２２に電気的に接続されるので、制御ユニット２８はドライバ１２によって電力供給される。
【００３１】
ドライバ装置２４は、信号を送信及び受信するためのインターフェース３０を更に含み、インターフェース３０は、この特定の場合には無線インターフェースである。インターフェース３０は、一般に、照明装置１０の遠隔制御のために、ユーザ入力端末３２からユーザ入力データを受信する。インターフェース３０は更に、受動赤外線センサ、光センサ、スイッチ、又は制御ユニット２８によって制御される他のランプ等の他の周辺装置３４に又はそれらから、制御信号を受信及び／又は送信する。ユーザ入力端末３２又は他の周辺機器３４から受信した入力信号を制御ユニット２８に送信し、入力信号又はユーザ入力に従って電力変換ユニット２６によってＬＥＤへ供給される電力を設定するために、インターフェース３０は制御ユニット２８に接続される。インターフェース３０は更に、制御信号を他の照明ユニット１６に送信し、それに応じて他の照明ユニット１６を制御するために、制御ユニット２８からの制御信号を受信し得る。インターフェース３０はまた、照明ユニット１６を作動させるため、又は、受信信号に基づいて負荷に供給される電力を設定するために、受動赤外線センサ及び光センサ又は他のスイッチング装置のような周辺装置３４から信号を受信する。一実施形態では、電力は接続された光センサ３４によって決定される環境光に基づいて設定される。代替の実施形態では、発光を所望の値に設定するために、インターフェース３０は、ＬＥＤ１８に供給される電力を決定するためのユーザ入力装置としてのボタンを含む。
【００３２】
したがって、照明ユニット１６は、レトロフィット交換でドライバ１２に接続され得、電力変換ユニット２６は、ＬＥＤ１８に電力を供給し、ＬＥＤ１８の発光を制御するために、インターフェイス３０を介してユーザ入力信号に基づいて個別に制御され得る。この特定の場合に赤外線又は無線周波数信号を介した無線接続であるユーザ入力端末３２及びインターフェース３０により、電源１４及びドライバ１２によって形成される電源の修正なしにＬＥＤ１８の調光を達成し得るように、ＬＥＤ１８に供給される電力を個別に所望のレベルに設定し得る。
【００３３】
ドライバ１２は、ある特定のタイプのランプ、例えば蛍光灯又は高輝度放電ランプを駆動するように設計されているので、ドライバ１２は、ドライバ装置２４から引き出され得る電力の全領域にわたって適切に動作しない。特に、接続された照明ユニット１６によって引き出される電力が特定の閾値レベルを下回った場合、ドライバ１２は、通常、特定の閾値レベル以下では正常に動作せず、出力電圧Ｖ１０をゼロまで減少し、リセットを供給するか、又は、不安定な出力電圧Ｖ１０を供給する。
【００３４】
ドライバ１２の電力供給の望ましくない低下又はドライバ１２のリセットを回避するために、最小の電力レベルはドライバ１２によって供給可能な電力の最小閾値レベルを下回ってはならない。電力供給の低下を回避するために、制御ユニット２８は、ドライバ１２によって供給され得る最小の電力レベルを保存するための記憶装置３６を含む。制御ユニット２８は、ドライバ１２から引き出される電力がそれぞれの最小の電力レベル以下に低下しないように電力変換ユニット２６を制御する。
【００３５】
最小の電力レベルが制御ユニット２８によって個別に決定されるので、照明ユニット１６が普遍的に利用され、異なる種類のランプのレトロフィット交換として異なるドライバに接続され得る。ドライバ１２から引き出され得る最小の電力レベルを決定するために、制御ユニット２８は、電力レベルの現在の値を記憶装置３６に保存し、ドライバ１２から引き出される電力を所定の値だけ減少させる。ドライバ１２から引き出され得る電力が、減少後になお安定しており、低い電力レベルでドライバ１２のリセットが発生していない場合、制御ユニット２８は、新たな電力レベルを記憶装置３６に保存し、更に低い電力レベルを達成するために電力レベルを所定の値だけ再び減少させる。制御ユニット２８を含む照明ユニット１６がパワーダウンされるように、ドライバ１２から供給される電力がゼロになるか又は中断されるまで、制御ユニット２８はドライバ１２から引き出される電力の減少を反復して繰り返す。記憶装置３６は不揮発性メモリであるため、ドライバ１２から引き出され得る最終の電力レベルは、なお記憶装置３６に保存され、それに応じて後続のパワーアップのために電力変換ユニット２６を制御するために、当該最終の電力レベルが制御ユニット２８から導出され得る。
【００３６】
ドライバ１２から引き出され得る最小の電力レベルは、照明ユニット１６の動作中に決定され、定期的に繰り返し決定される。ドライバ１２から引き出され得る最小の電力レベルの任意の変化が決定され得、一般に電力変換ユニット２６の最低の可能な電力レベルを設定するために考慮され得るように、最小の電力レベルは、照明ユニット１６の各電源投入時、若しくは、一定量の電源投入後、又は、所定の時間経過後に決定される。
【００３７】
図２は、概して４０によって示されるＬＥＤ１８を駆動する方法を示す概略フロー図を示す。方法４０は、４２に示されるように、可能な電力範囲の検出をトリガすることから始まる。第１のステップにおいて、制御ユニット２８は、ステップ４４に示されるように電力範囲の検出が可能であるとの情報を、記憶装置３６に保存する。情報は、不揮発性記憶装置３６に保存されたフラグ又はタグである。次のステップ４６において、電力変換ユニット２６は、ＬＥＤ１８に供給され、それに応じてドライバ１２から引き出される最大電力レベルに、設定される。次のステップ４８において、ステップ４６で設定された電力レベルが不揮発性記憶装置３６に保存される。次のステップ５０において、電力レベルが所定の値だけ減少され、ドライバ１２から引き出されるそれぞれの電力レベルは、５２に示されるように決定される。電力レベルがゼロよりも高い場合、方法はステップ４８に戻り、ループ５４に示されるように現在の電力レベルを不揮発性記憶装置３６に保存することを続ける。ステップ５２で決定される電力レベルがゼロであると決定される場合、情報、例えば不揮発性記憶装置３６に保存されたフラグ又はタグは、ステップ５６に示されるように除去される。
【００３８】
ドライバ１２から引き出される電力の減少中にドライバ１２がリセットされた場合、若しくは、電源がブレイクされるか又は電力が不安定になる場合、それに応じて制御ユニット２８の電源がオフにされるので、制御ユニット２８はリセットされる。この場合、ドライバ１２から引き出され得る最終の電力レベルは、この値が不揮発性記憶装置３６からの最小の電力レベルとして導出され得、電力変換ユニット２６の追従制御に利用され得るように、なお不揮発性記憶装置３６に保存される。
【００３９】
更に、照明ユニット１６の電源投入中に記憶装置３６に保存されたタグが存在する場合、タグは、最小の電力レベルの先の決定中に照明ユニット１６がリセットされたことを示し、照明ユニット１６の電力範囲を電力切断レベルから又は電力切断レベルを超えて離れた信頼性の高いレベルに設定するために、保存された最小の電力レベルは、好ましくは、所定のレベルだけ増加される。
【００４０】
結果として、ドライバ１２から引き出され得る最小の電力レベルは、以下において、照明ユニット１６が安定して信頼性高く動作され得る照明ユニット１６の調光範囲が規定されるように、低い技術的努力で正確に決定され得る。
【００４１】
図３は照明装置１０の詳細なブロック図を示す。同一の要素は同一の参照符号で示され、ここでは単に相違点のみが詳細に説明される。
【００４２】
電力変換ユニット２６は、入力電圧Ｖ１０を、ＬＥＤ１８に電力を供給するための駆動電圧Ｖ２０及び／又は駆動電流Ｉ２０に変換する。電力変換ユニット２６は、制御ユニット２８によって制御され、制御ユニット２８がドライバ１２によって入力端子２０、２２を介して電気的に給電されるように、電線２８又は相互接続３８によって入力端子２０、２２に接続される。制御ユニット２８はインターフェース３０に接続され、インターフェース３０は特定の実施形態において、例えば無線周波数送信又は赤外線送信を介して、信号を送信及び受信するための無線のインターフェースを含む。インターフェース３０は、それに応じてユーザ入力端末３２及び周辺装置３４に接続される。ユーザは、ユーザ入力端末３２を介して照明ユニット１６の調光レベルを設定し得、制御ユニット２８は、インターフェース３０を介して周辺機器３４を制御し得る。更に、照明ユニット１６が追加のセンサ情報に基づいて制御され得るように、インターフェース３０を介して、パッシブ赤外線センサ又は光センサ若しくはスイッチ等の追加の装置が照明ユニット１６に接続され得る。
【００４３】
ドライバ装置２４及びＬＥＤ１８は、入力端子２０、２２を介してドライバ１２に接続され得る照明ユニットケース６０内に配置され、通常はドライバ１２に接続されたランプを容易に交換し得る。
【００４４】
本発明は、図面及び前述の説明において詳細に例示され説明されたが、斯様な例示及び説明は、例示的又は典型的であると考えられるべきであり、限定と考えられるべきではなく、本発明は、開示された実施形態に限定されない。当業者によって、特許請求された発明を実施するにあたり、図面、明細書、及び添付の請求項の研究から、開示された実施形態の他のバリエーションが理解され達成され得る。
【００４５】
請求項で、用語「含む」は他の要素又はステップを除外するものではなく、不定冠詞「ａ」又は「ａｎ」は複数を除外するものではない。単一の要素又は他のユニットは、請求項に記載される複数項目の機能を満たすことができる。特定の手段が、相互に異なる従属請求項に記載されているという単なる事実は、これらの手段の組合せを有利に使用できないことを意味するわけではない。
【００４６】
特許請求の範囲における参照符号は、その範囲を限定するものとして解釈されるべきではない。
【図１】
2017533559.tif 000003
【図２】
2017533559.tif 000004
【図３】
2017533559.tif 000005
【国際調査報告】
2017533559.tif 000006
2017533559.tif 000007